(57)【要約】【課題】複数端末間における信号の干渉を回避し、端末の存在する空間によってアクセスが制御されたインタラクティブコンテンツを提供する。【解決手段】コンテンツサーバ装置３が、非規則的な周期タイミングで発信された端末１を識別する端末ＩＤ及びセンサ手段２１から送信された第１センサＩＤを受信した後に第１確認ＩＤを生成し、前記第１確認ＩＤ，端末ＩＤ，第１センサＩＤの組を、所定の記憶部に記憶し、前記端末ＩＤで特定される端末１に、所定の通信回線を介して、第１確認ＩＤを送信する。コンテンツサーバ装置３が、前記第１確認ＩＤを端末に送信した後、いずれかのセンサ手段２１から端末から発信された第２確認ＩＤ及び該センサ手段の第２センサＩＤを受信し、前記第１センサＩＤが第２センサＩＤと等しい、かつ、第１確認ＩＤが第２確認ＩＤと等しいか否かを確認して端末認証を行い、その認証結果に基づいて、コンテンツへのアクセスを制御する。【選択図】図１
2008022299.tif 000002
【特許請求の範囲】
【請求項１】
複数のセンサ手段を接続したコンテンツサーバ装置がコンテンツを保持し、
複数の端末からの該コンテンツに対するアクセスを制御する実空間コンテンツ利用システムであって、
前記端末が、
それらの端末ごとに固有となる乱数列に基づき、非規則的な周期を生成する信号発信周期制御手段と、
前記信号発信周期制御手段によって決定される非規則的な周期タイミングで端末ＩＤを含む端末ＩＤ信号を、ＩＤ信号発信手段を使って連続して発信し、
一意な値である第１確認ＩＤを前記コンテンツサーバ装置から受信した後、該第１確認ＩＤを含む確認ＩＤ信号を、信号発信周期制御手段によって決定される非規則的な周期タイミングで、前記ＩＤ信号発信手段を使って一定期間連続して発信する制御手段と、
を有し、
前記センサ手段が、
前記発信された端末ＩＤ信号を受信すると、該センサ手段を識別する第１センサＩＤ及び前記受信された端末ＩＤをコンテンツサーバ装置に対して送信する手段、
を有し、
前記コンテンツサーバ装置が、
端末ＩＤ及び第１センサＩＤを受信した後、前記第１確認ＩＤを生成し、
前記第１確認ＩＤ，端末ＩＤ，第１センサＩＤの組を、所定の記憶部に記憶し、
前記端末ＩＤで特定される端末に、所定の通信回線を介して、第１確認ＩＤを送信し、
前記第１確認ＩＤを端末に送信した後、いずれかのセンサ手段から発信された第２確認ＩＤ及び該センサ手段の第２センサＩＤを受信し、
前記記憶部に記憶された第１センサＩＤが受信した第２センサＩＤと等しく、かつ、前記記憶部に記憶された第１確認ＩＤが受信した第２確認ＩＤと等しいか否かを確認し、該第１センサＩＤが第２センサＩＤと等しく、かつ、第１確認ＩＤが第２確認ＩＤと等しい場合に、端末ＩＤに対応する端末に対する認証の結果を成功と見做す端末認証手段と、
前記認証結果に基づいて、コンテンツへのアクセスを制御するアクセス制御手段と、
を有する、
ことを特徴とする実空間コンテンツ利用システム。
【請求項２】
複数のセンサ手段を接続し、コンテンツを保持し、複数の端末からの該コンテンツに対するアクセスを制御するコンテンツサーバ装置であって、
前記端末を識別する端末ＩＤ及びセンサ手段を識別する第１センサＩＤを受信した後、一意な値である第１確認ＩＤを生成し、
前記第１確認ＩＤ，端末ＩＤ，第１センサＩＤの組を、所定の記憶部に記憶しておき、
前記端末ＩＤで特定される端末に、所定の通信回線を介して、第１確認ＩＤを送信し、
前記第１確認ＩＤを端末に送信した後、いずれかのセンサ手段から発信された第２確認ＩＤ及び該センサ手段の第２センサＩＤを受信し、
前記記憶部に記憶された第１センサＩＤが受信した第２センサＩＤと等しく、かつ、前記記憶部に記憶された第１確認ＩＤが受信した第２確認ＩＤと等しいか否かを確認し、該第１センサＩＤが第２センサＩＤと等しく、かつ、第１確認ＩＤが第２確認ＩＤと等しい場合に、端末ＩＤに対応する端末に対する認証の結果を成功と見做す端末認証手段と、
前記認証結果に基づいて、コンテンツへのアクセスを制御するアクセス制御手段と、
を有することを特徴とするコンテンツサーバ装置。
【請求項３】
請求項２に記載のコンテンツサーバ装置であって、
前記アクセス制御手段が、前記認証された端末へのみ、前記端末ＩＤと同時に受信された第２センサＩＤに対応するコンテンツの参照と編集を許可する、
ことを特徴とするコンテンツサーバ装置。
【請求項４】
請求項２に記載のコンテンツサーバ装置であって、
前記アクセス制御手段が、前記端末認証手段に認証されてない端末へ、コンテンツサーバ装置が保持するコンテンツの参照のみを許可し、編集を禁止する、
ことを特徴とするコンテンツサーバ装置。
【請求項５】
請求項２乃至４のいずれかに記載のコンテンツサーバ装置であって、
前記端末認証手段における処理を繰り返す、
ことを特徴とするコンテンツサーバ装置。
【請求項６】
コンテンツサーバ装置は複数の端末と通信回線で接続され、
該コンテンツサーバ装置は複数のセンサ手段を接続され、
該コンテンツサーバ装置は前記端末を認証する端末認証手段と該コンテンツサーバ装置に保持されたコンテンツへのアクセスを制御するアクセス制御手段を備え、
該コンテンツサーバ装置が前記複数の端末からの該コンテンツに対するアクセスを制御するコンテンツ提供方法であって、
前記端末認証手段が、前記端末を識別する端末ＩＤ及びセンサ手段を識別する第１センサＩＤを受信した後、一意な値である第１確認ＩＤを生成するステップ１と、
前記端末認証手段が、前記第１確認ＩＤ，端末ＩＤ，第１センサＩＤの組を、所定の記憶部に記憶しておくステップ２と、
前記端末認証手段が、前記端末ＩＤで特定される端末に、所定の通信回線を介して、第１確認ＩＤを送信するステップ３と、
前記端末認証手段が、前記第１確認ＩＤを端末に送信した後、いずれかのセンサ手段から発信された第２確認ＩＤ及び該センサ手段の第２センサＩＤを受信するステップ４と、
前記端末認証手段が、前記記憶部に記憶された第１センサＩＤが受信した第２センサＩＤと等しく、かつ、前記記憶部に記憶された第１確認ＩＤが受信した第２確認ＩＤと等しいか否かを確認し、該第１センサＩＤが第２センサＩＤと等しく、かつ、第１確認ＩＤが第２確認ＩＤと等しい場合に、端末ＩＤに対応する端末に対する認証の結果を成功と見做すステップ５と、
前記アクセス制御手段が、前記認証結果に基づいて、コンテンツへのアクセスを制御するステップ６と、
を有することを特徴とするコンテンツ提供方法。
【請求項７】
請求項６に記載のコンテンツ提供方法であって、
前記アクセス制御手段が、前記認証された端末へのみ、前記端末ＩＤと同時に受信された第２センサＩＤに対応するコンテンツの参照と編集を許可するステップ、
を有することを特徴とするコンテンツ提供方法。
【請求項８】
請求項６に記載のコンテンツ提供方法であって、
前記アクセス制御手段が、前記端末認証手段に認証されてない端末へ、コンテンツサーバ装置が保持するコンテンツの参照のみを許可し、編集を禁止するステップ、
を有することを特徴とするコンテンツ提供方法。
【請求項９】
請求項６乃至８のいずれかに記載のコンテンツ提供方法であって、
前記ステップ１乃至ステップ５を繰り返すステップ、
を有することを特徴とするコンテンツ提供方法。
【請求項１０】
請求項６乃至９のいずれかに記載のコンテンツ提供方法を、コンピュータで実行可能なコンピュータプログラムとして記述したことを特徴とするコンテンツ提供プログラム。
【発明の詳細な説明】
【技術分野】
【０００１】
本発明は、実空間の対象に関連付けられたネットワークコンテンツへのアクセスを制御する技術に関するものである。
【背景技術】
【０００２】
移動体通信環境（モバイル環境とも言う）に置かれたユーザが携帯端末のデータ通信機能を介して、各種コンテンツへアクセスすることが可能となってきている。一方、移動体通信環境に置かれたユーザに対して、周囲の情報を提供するコンテクストアウェアなサービスも普及しつつある。これらのシステムを組み合わせれば、実世界の対象にコンテンツを連携させた実空間コンテンツを実現できると言われている。
【０００３】
実空間コンテンツは、コンテクストアウェア型情報提供システムを利用して実現できる（例えば、特許文献１，特許文献２参照）。コンテクストアウェア情報提供システムの構成は、大別すると、空間や物体が携帯端末に直接情報を発信するタイプ１と、携帯端末自体が空間（もしくは場所）や物体のＩＤ（Ｉｄｅｎｔｉｆｉｅｒ）を識別し、関連情報を検索するタイプ２と、携帯端末が周囲に端末ＩＤを発信し、端末ＩＤを認識した周囲のシステムが端末ＩＤで特定される携帯端末に情報を送信するタイプ３とが知られている。
【０００４】
タイプ１には、ＡＭ（Ａｍｐｌｉｔｕｄｅ  Ｍｏｄｕｌａｔｉｏｎ）微弱電波ラジオ，赤外線もしくは可視光通信を用いて特定空間内に情報を提供するシステムなどが知られている。
【０００５】
タイプ２には、ＧＰＳ（Ｇｌｏｂａｌ  Ｐｏｓｉｔｉｏｎ（Ｐｏｓｉｔｉｏｎｉｎｇ）  Ｓｙｓｔｅｍ）によって取得される端末位置情報をＩＤとして用いるシステムや、ＲＦＩＤ（Ｒａｄｉｏ  Ｆｒｅｑｕｅｎｃｙ  Ｉｄｅｎｔｉｆｉｃａｔｉｏｎ）、カメラを用いて読み取り可能なビジュアルコード（例えば、ＱＲ（Ｑｕｉｃｋ  Ｒｅｓｐｏｎｓｅ）コードなど）をＩＤに用いるシステムなどが知られている。また、前述のＡＭ微弱電波ラジオ，赤外線，可視光通信によってＩＤを配信し、受信されたＩＤによって関連情報にアクセスする構成も知られている。
【０００６】
タイプ３には、携帯端末が赤外線，アクティブＲＦＩＤ，その他の無線通信によって端末ＩＤを周囲に発信するシステムが知られている。
【０００７】
なお、上述の赤外線もしくは可視光通信に用いられる信号技術としては、赤外線信号技術，可視光ＬＥＤ（Ｌｉｇｈｔ−Ｅｍｉｔｔｉｎｇ  Ｄｉｏｄｅ）による可視光信号技術，色相差光信号技術（例えば、特許文献３参照）などが知られている。
【特許文献１】特開平９−１５３０５４号公報（段落［００１８］〜［００３０］等）。
【特許文献２】特許第３５５８１０４号公報（段落［００１２］〜［００２０］等）。
【特許文献３】特開２００５−１３６６６５号公報（段落［００２７］〜［００５５］等）。
【発明の開示】
【発明が解決しようとする課題】
【０００８】
上述のタイプ１のシステムは、いわゆるローカル放送システムであって、限られた範囲に存在するユーザのみが視聴できる性質（即ち、空間限定性）を有する。例えば、赤外線や可視光通信を用いるシステムでは、空間に対する指向性を有し、端末を光源の方向に向けることによってコンテンツにアクセスできる。しかし、タイプ１のシステムでは、基本的に非インタラクティブな放送型コンテンツしか提供できない。
【０００９】
上述のタイプ２やタイプ３のシステムでは、携帯端末の通信回線を用いてコンテンツにアクセスするため、インタラクティブなコンテンツを提供できる。しかし、通信回線で提供されるコンテンツは、一旦、ネットワーク上のアドレス（例えば、ＵＲＬ（Ｕｎｉｆｏｒｍ  Ｒｅｓｏｕｒｃｅ  Ｌｏｃａｔｏｒ）など）を知られれば、どこからでもアクセスされるため、空間限定性を有さない。
【００１０】
また、タイプ２のシステムは、端末がコンテンツ検索キーとして使用するＩＤを取得するため、該ＩＤを記憶しておけば、どこからでもコンテンツにアクセスできる。
【００１１】
タイプ３のシステムに基づいて空間限定性を実現するためには、以下の課題を解決する必要がある。
【００１２】
第１の課題は、タイプ３のシステムには、端末側が端末ＩＤを発信するため、悪意を持ったユーザが自身の端末を用いて、他者の端末ＩＤを任意の対象に送信するといった可能性を有する、ということである。即ち、この第１の課題を回避し、個々の端末が所定の空間に実際に存在することを確実に把握できることが必要である。
【００１３】
第２の課題は、端末からのＩＤ送信について光信号（例えば、赤外線など）を用いる場合に、複数端末間における信号の干渉に起因する問題を回避する、ことである。複数の端末が、同時に、センサに向けて光ＩＤ信号を発信すると、その光ＩＤ信号どうしの干渉によってＩＤが検出できなくなる現象が知られている。即ち、多人数同時利用を可能とするために、この第２の問題を改善する必要がある。
【００１４】
本発明は、前記課題に基づいてなされたものであり、個々の端末が所定の空間に実際に存在することを確実に把握し、複数端末間における信号の干渉を回避し、端末の存在する空間によってアクセスが制御されたインタラクティブコンテンツを提供する実空間コンテンツ利用システム、端末の存在する空間によってアクセスが制御されたインタラクティブコンテンツを提供するコンテンツサーバ装置、コンテンツ提供方法及びそのコンテンツ提供方法を実装したプログラムを提供することにある。
【課題を解決するための手段】
【００１５】
前記課題の解決を図るために、請求項１記載の発明は、複数のセンサ手段を接続したコンテンツサーバ装置がコンテンツを保持し、複数の端末からの該コンテンツに対するアクセスを制御する実空間コンテンツ利用システムであって、前記端末が、それらの端末ごとに固有となる乱数列に基づき、非規則的な周期を生成する信号発信周期制御手段と、前記信号発信周期制御手段によって決定される非規則的な周期タイミングで端末ＩＤを含む端末ＩＤ信号を、ＩＤ信号発信手段を使って連続して発信し、一意な値である第１確認ＩＤを前記コンテンツサーバ装置から受信した後、該第１確認ＩＤを含む確認ＩＤ信号を、信号発信周期制御手段によって決定される非規則的な周期タイミングで、前記ＩＤ信号発信手段を使って一定期間連続して発信する制御手段と、を有し、前記センサ手段が、前記発信された端末ＩＤ信号を受信すると、該センサ手段を識別する第１センサＩＤ及び前記受信された端末ＩＤをコンテンツサーバ装置に対して送信する手段、を有し、前記コンテンツサーバ装置が、端末ＩＤ及び第１センサＩＤを受信した後、前記第１確認ＩＤを生成し、前記第１確認ＩＤ，端末ＩＤ，第１センサＩＤの組を、所定の記憶部に記憶し、前記端末ＩＤで特定される端末に、所定の通信回線を介して、第１確認ＩＤを送信し、前記第１確認ＩＤを端末に送信した後、いずれかのセンサ手段から発信された第２確認ＩＤ及び該センサ手段の第２センサＩＤを受信し、前記記憶部に記憶された第１センサＩＤが受信した第２センサＩＤと等しく、かつ、前記記憶部に記憶された第１確認ＩＤが受信した第２確認ＩＤと等しいか否かを確認し、該第１センサＩＤが第２センサＩＤと等しく、かつ、第１確認ＩＤが第２確認ＩＤと等しい場合に、端末ＩＤに対応する端末に対する認証の結果を成功と見做す端末認証手段と、前記認証結果に基づいて、コンテンツへのアクセスを制御するアクセス制御手段と、を有する、ことを特徴とする。
【００１６】
請求項２記載の発明は、複数のセンサ手段を接続し、コンテンツを保持し、複数の端末からの該コンテンツに対するアクセスを制御するコンテンツサーバ装置であって、前記端末を識別する端末ＩＤ及びセンサ手段を識別する第１センサＩＤを受信した後、一意な値である第１確認ＩＤを生成し、前記第１確認ＩＤ，端末ＩＤ，第１センサＩＤの組を、所定の記憶部に記憶しておき、前記端末ＩＤで特定される端末に、所定の通信回線を介して、第１確認ＩＤを送信し、前記第１確認ＩＤを端末に送信した後、いずれかのセンサ手段から発信された第２確認ＩＤ及び該センサ手段の第２センサＩＤを受信し、前記記憶部に記憶された第１センサＩＤが受信した第２センサＩＤと等しく、かつ、前記記憶部に記憶された第１確認ＩＤが受信した第２確認ＩＤと等しいか否かを確認し、該第１センサＩＤが第２センサＩＤと等しく、かつ、第１確認ＩＤが第２確認ＩＤと等しい場合に、端末ＩＤに対応する端末に対する認証の結果を成功と見做す端末認証手段と、前記認証結果に基づいて、コンテンツへのアクセスを制御するアクセス制御手段と、を有することを特徴とする。
【００１７】
請求項３記載の発明は、請求項２記載の発明において、前記アクセス制御手段が、前記認証された端末へのみ、前記端末ＩＤと同時に受信された第２センサＩＤに対応するコンテンツの参照と編集を許可する、ことを特徴とする。
【００１８】
請求項４記載の発明は、請求項２記載の発明において、前記アクセス制御手段が、前記端末認証手段に認証されてない端末へ、コンテンツサーバ装置が保持するコンテンツの参照のみを許可し、編集を禁止する、ことを特徴とする。
【００１９】
請求項５記載の発明は、請求項２乃至４のいずれかに記載の発明において、前記端末認証手段における処理を繰り返す、ことを特徴とする。
【００２０】
請求項６記載の発明は、コンテンツサーバ装置は複数の端末と通信回線で接続され、該コンテンツサーバ装置は複数のセンサ手段を接続され、該コンテンツサーバ装置は前記端末を認証する端末認証手段と該コンテンツサーバ装置に保持されたコンテンツへのアクセスを制御するアクセス制御手段を備え、該コンテンツサーバ装置が前記複数の端末からの該コンテンツに対するアクセスを制御するコンテンツ提供方法であって、前記端末認証手段が、前記端末を識別する端末ＩＤ及びセンサ手段を識別する第１センサＩＤを受信した後、一意な値である第１確認ＩＤを生成するステップ１と、前記端末認証手段が、前記第１確認ＩＤ，端末ＩＤ，第１センサＩＤの組を、所定の記憶部に記憶しておくステップ２と、前記端末認証手段が、前記端末ＩＤで特定される端末に、所定の通信回線を介して、第１確認ＩＤを送信するステップ３と、前記端末認証手段が、前記第１確認ＩＤを端末に送信した後、いずれかのセンサ手段から発信された第２確認ＩＤ及び該センサ手段の第２センサＩＤを受信するステップ４と、前記端末認証手段が、前記記憶部に記憶された第１センサＩＤが受信した第２センサＩＤと等しく、かつ、前記記憶部に記憶された第１確認ＩＤが受信した第２確認ＩＤと等しいか否かを確認し、該第１センサＩＤが第２センサＩＤと等しく、かつ、第１確認ＩＤが第２確認ＩＤと等しい場合に、端末ＩＤに対応する端末に対する認証の結果を成功と見做すステップ５と、前記アクセス制御手段が、前記認証結果に基づいて、コンテンツへのアクセスを制御するステップ６と、を有することを特徴とする。
【００２１】
請求項７記載の発明は、請求項６記載の発明において、前記アクセス制御手段が、前記認証された端末へのみ、前記端末ＩＤと同時に受信された第２センサＩＤに対応するコンテンツの参照と編集を許可するステップ、を有することを特徴とする。
【００２２】
請求項８記載の発明は、請求項６記載の発明において、前記アクセス制御手段が、前記端末認証手段に認証されてない端末へ、コンテンツサーバ装置が保持するコンテンツの参照のみを許可し、編集を禁止するステップ、を有することを特徴とする。
【００２３】
請求項９記載の発明は、請求項６乃至８記載の発明において、前記ステップ１乃至ステップ５を繰り返すステップ、を有することを特徴とする。
【００２４】
請求項１０記載の発明は、コンテンツ提供プログラムであって、請求項６乃至９のいずれかに記載のコンテンツ提供方法を、コンピュータで実行可能なコンピュータプログラムとして記述したことを特徴とする。
【００２５】
前記の請求項１の発明によれば、端末の存在する空間が確実に特定され、端末の状態に基づいたコンテンツアクセス制御を実行できる。
【００２６】
前記の請求項２，６の発明によれば、端末の存在する空間が確実に特定され、端末の状態に基づいたコンテンツアクセス制御を実行できる。
【００２７】
前記の請求項３，７の発明によれば、認証された端末に対し、コンテンツの参照と編集を許可できる。
【００２８】
前記の請求項４，８の発明によれば、認証された端末に対し、コンテンツの参照のみを許可でき、編集を禁止できる。
【００２９】
前記の請求項５，９の発明によれば、端末の認証状態を逐次に取得できる。
【００３０】
前記の請求項１０の発明によれば、請求項６乃至９のいずれかに記載のコンテンツ提供方法をコンピュータプログラムとして取得できる。
【発明の効果】
【００３１】
以上示したように、請求項１の発明によれば、特定の状態にある端末のみがアクセスできるインタラクティブコンテンツを実現できる。また、同一空間に複数の端末が存在する場合にも対応できる。
【００３２】
請求項２，６の発明によれば、特定の状態にある端末のみがアクセスできるインタラクティブコンテンツを実現できる。
【００３３】
請求項３，７の発明によれば、認証された端末が、コンテンツの参照と編集を行うことができる。
【００３４】
請求項４，８の発明によれば、認証された端末が、コンテンツの参照のみを許可し、編集を禁止できる。
【００３５】
請求項５，９の発明によれば、端末の認証状態を逐次に更新できる。
【００３６】
請求項１０の発明によれば、請求項６乃至９のいずれかに記載のコンテンツ提供方法を実装したコンピュータプログラムを提供もしくは実行できる。
【００３７】
これらを以ってコンテンツサービス技術分野に貢献できる。
【発明を実施するための最良の形態】
【００３８】
以下、本発明の実施形態を図面等に基づいて詳細に説明する。
【００３９】
本実施形態における実空間コンテンツ利用システムの構成を図１に基づいて説明する。
【００４０】
実空間コンテンツ利用システムは、光信号を発信できる携帯端末１と、複数の光信号を受信するセンサ手段２１〜２４に接続され、端末認証手段３ａとアクセス制御手段３ｂを具備するコンテンツサーバ装置３から構成される。なお、光信号は、上述の信号技術（例えば、赤外線信号，可視光ＬＥＤによる可視光信号，色相差光信号（特許文献３参照））などを用いることとする。
【００４１】
コンテンツサーバ装置３は、複数のコンテンツ５、コンテンツ管理テーブル４を保持する。さらに、コンテンツサーバ装置３は、一般的なＷｅｂサーバ機能に基づいて構成される。
【００４２】
携帯端末１の構成を図２に基づいて説明する。携帯端末１は、通信手段１ａ，ＣＰＵ（Ｃｅｎｔｒａｌ  Ｐｒｏｃｅｓｓｉｎｇ  Ｕｎｉｔ）やＯＳ（Ｏｐｅｒａｔｉｎｇ  Ｓｙｓｔｅｍ）に相当する制御手段１ｂ，ボタンなどの入出力手段１ｃ，光信号により端末ＩＤなどを発信するＩＤ信号発信手段１ｄ，信号発信タイミングを制御する信号発信周期制御手段１ｅ，その他の基本的な手段（図示省略）を備える。
【００４３】
なお、多くの携帯端末が既に備えているデータ通信用の赤外線リモコンインタフェースがＩＤ信号発信手段１ｄとして利用できるものとする。上述の色相差光信号は、端末のカラーディスプレイを発信源として利用できる。また、信号発信周期制御手段１ｅは、ＯＳ上で動作するソフトウェアとして実装できる。
【００４４】
例えば、可搬性を有するアプリケーションソフトウェア（例えば、Ｊａｖａ（登録商標）アプリケーションソフトウェア）をネットワーク経由でダウンロードし実行できる携帯電話では、該アプリケーションを用いて、ＩＤ信号発信手段１ｄ及び信号発信周期制御手段１ｅを構成できる。したがって、既存の携帯電話などの携帯端末によって、実空間コンテンツ利用システムを構成できる。
【００４５】
センサ手段２１〜２４は、用いられる光信号に応じたセンサ（例えば、赤外線受光センサ，可視光受光センサ，カラーイメージセンサ）を備える。なお、センサ手段２１〜２４は、天井，壁面，掲示板，パブリックディスプレイ，看板などに設置されるものとする。センサ手段２１〜２４は、コンテンツサーバ装置３に上述の端末ＩＤなどの情報を送る無線通信手段（例えば、短距離無線通信）を利用できるものとする。なお、前記無線通信手段は、有線通信手段でも代替できる。即ち、センサ手段２１〜２４は、コンテンツサーバ装置３に論理的（ソフトウェア的）に接続されるものである。
【００４６】
センサ手段２１〜２４を図３に基づいて説明する。なお、図３中のセンサ手段２は、図１中のセンサ手段２１〜２４と同一の構成であって、小型化及び低コスト化されたセンサ手段の構成例を示すものである。
【００４７】
図３に示すセンサ手段２は、家電向けの短距離無線通信規格（例えば、Ｚｉｇｂｅｅなど）に対応した低消費電力無線通信手段（省電力無線通信デバイス）２ａに光信号センサ手段（例えば、赤外線センサ）２ｂを一体化したものをセンサ手段２に備えることができる。この一体化構成では、電池による長時間駆動を可能とするため、センサ手段２を屋内に多数分散配置するコストを低減できる。なお、センサ手段２は、受信した信号を処理する制御手段２ｃも備えるものとする。
【００４８】
また、送信情報の一部を動的に変更できるアクティブＲＦＩＤを低消費電力無線通信手段２ａに採用し、赤外線センサを光信号センサ手段２ｂに採用して、一体化した小型デバイスをセンサ手段２として利用しても良い。
【００４９】
例えば、前記小型デバイスは、端末ＩＤを光信号（例えば、赤外線信号）によって受信した時点で、センサＩＤと、受信された端末ＩＤと、端末ＩＤ受信時の受信信号強度と、をＲＦ信号として発信する。そして、近隣に設置されるＲＦＩＤ信号リーダが、ＲＦ信号により前述の情報をコンテンツサーバ装置３に送信する。
【００５０】
前記小型デバイスをセンサ手段２として用いても、デバイスの小型電池駆動，小型化，低コスト化が可能になるため、センサ手段２の配置を容易にできる。さらに、低消費電力無線通信手段２ａと光信号センサ手段２ｂの組み合わせによるセンサ手段２に、太陽電池（即ち、太陽光発電モジュール）２ｄを具備できる。
【００５１】
本実施形態における実空間コンテンツ利用システムの動作を以下に説明する。なお、以下の説明で、図１乃至図３中の符号と同じものの説明は省略する。
【００５２】
実空間コンテンツ利用システムを利用するユーザは、携帯端末１から発信される光信号によって近隣のセンサ手段２１〜２４のいずれかが配置されたエリアを指示することで、実空間に関連付けられたコンテンツへアクセスするものである。なお、以下の説明では、携帯端末１から発信される光信号の方式に、携帯電話の赤外線信号方式を用いるものとして説明する。
【００５３】
実空間コンテンツ利用システムの基本動作は次の通りである。
【００５４】
まず、ユーザは携帯端末１の光信号発信方向によりセンサ手段２１〜２４のいずれかを指示し、所定のボタンを押してコンテンツアクセスを開始する。この時点で、制御手段１ｂは、ＩＤ信号発信手段１ｄを使って、携帯端末１を特定するための端末ＩＤの発信を開始する。
【００５５】
次に、信号発信周期制御手段１ｅは、携帯端末１ごとに固有となる乱数列に基づき、非規則的な周期を生成する。
【００５６】
次に、ＩＤ信号発信手段１ｄは、信号発信周期制御手段１ｅによって決定される非規則的な周期タイミングで端末ＩＤその他の信号を連続して発信する。
【００５７】
ここで、送信される端末ＩＤの信号フレーム（端末ＩＤ信号フレーム）Ｆ１のデータ構成例を図４に基づいて説明する。
【００５８】
信号フレームＦ１は、端末ＩＤデータ部Ｆｂ，チェックサムＦｄを有する。例えば、図４中では、信号フレームＦ１の長さを１２８ｂｉｔ長とし、２ｂｉｔ長のフラグＦａ、３２ｂｉｔ長の端末ＩＤデータＦｂ、６２ｂｉｔ長の予備領域Ｆｃ、３２ｂｉｔ長のチェックサムＦｄから構成されている。なお、フラグＦａは、前記信号フレームＦ１が端末ＩＤ信号であることを示す”００”を含む。端末ＩＤとしては、ＩＰ（Ｉｎｔｅｒｎｅｔ  Ｐｒｏｔｏｃｏｌ）アドレスや電子メールアドレスを用いることができる。
【００５９】
例えば、携帯電話の赤外線信号方式（例えば、赤外線リモコンインタフェース）を利用する場合、ＩＤ信号発信手段１ｄが、この信号フレームＦ１をマンチェスター符号化によって符号化し、３８ＫＨｚの点滅を用いて送信する。
【００６０】
なお、信号フレームＦ１は、１２８ｂｉｔ長以上のデータから構成されても良い。また、符号化方式、点滅周波数に関しても、光を用いて信号を伝達可能な各種方式が利用できるものとする。
【００６１】
また、端末ＩＤにＩＰアドレスを用いない場合、前記コンテンツサーバ装置３は、端末ＩＤと携帯端末１とＩＰアドレスの対応付けるテーブルを具備する。基本的に、端末ＩＤは端末への通信アドレスを含むデータを用いる。例えば、ＩＰアドレス、もしくは、ＩＰアドレスとポート番号をセットにしたデータを用いる。
【００６２】
次に、各センサ手段２１〜２４は、端末ＩＤを受信すると、その信号フレームＦ１をチェックし、誤りがなければ、該センサ手段２１〜２４を識別するセンサＩＤと、受信された端末ＩＤとをコンテンツサーバ装置３の端末認証手段３ａに送信する。
【００６３】
次に、端末認証手段３ａは、センサ手段２１〜２４から端末ＩＤ及びセンサＩＤを受信すると、図５に示す認証手順によって前記端末ＩＤで特定される携帯端末１の認証を行う。この手順は、光信号をセンサ手段２１〜２４経由のＩＤ受信をアップリンクに用い、所定の通信手段をダウンリンクに用いることによって、任意の携帯端末１が特定のセンサ手段２１〜２４に対してＩＤ信号を送信可能な状態にあることを確認するものである。
【００６４】
前記認証手順を図５に基づいて説明する。なお、以下の説明で、図１乃至図３中の符号と同じものの説明は省略する。
【００６５】
まず、端末認証手段３ａは、端末ＩＤ：Ｔ１及びセンサＩＤ：Ｓ１（例えば、センサ手段２１から発信された端末ＩＤ：Ｔ１及びセンサＩＤ：Ｓ１）を受信する（Ｓ１０１）と、所定の生成方法によって、一つのコンテンツサーバ装置内で一意な数（例えば、乱数，センサＩＤと端末ＩＤに基づくハッシュ）を確認ＩＤ：Ｃ１として生成する（Ｓ１０２）。
【００６６】
次に、所定のバッファ（即ち、コンテンツサーバ装置３に備えられた記憶部）に（確認ＩＤ：Ｃ１，端末ＩＤ：Ｔ１，センサＩＤ：Ｓ１）の組を記憶しておく（Ｓ１０３）。
【００６７】
次に、端末ＩＤ：Ｔ１で特定される携帯端末１に、インターネットや携帯電話網などの所定の通信回線を介して、確認ＩＤ：Ｃ１を送信する（Ｓ１０４）。
【００６８】
次に、携帯端末１の制御手段１ｂは、所定の通信回線を介して、確認ＩＤ：Ｃ１を受信すると、ＩＤ信号発信手段１ｄによって、即座に該確認ＩＤ：Ｃ１を光信号として一定期間連続して発信する。なお、この発信についても、ＩＤ信号発信手段１ｄは、信号発信周期制御手段１ｅによって決定される非規則的な周期タイミングで前記確認ＩＤを発信する。
【００６９】
次に、端末認証手段３ａは、確認ＩＤ：Ｃ１を端末に送信した後、センサ手段のいずれか（例えば、センサ手段２１）を経由して、確認ＩＤ：Ｃ２及びセンサＩＤ：Ｓ２を受信する（Ｓ１０５）。なお、一定期間を経過しても確認ＩＤ：Ｃ２が受信されない場合（Ｓ１０８）は、端末ＩＤ：Ｔ１の携帯端末の認証を失敗と見做す（Ｓ１０９）。
【００７０】
そして、一定期間内に、確認ＩＤ：Ｃ２及びセンサＩＤ：Ｓ２を受信した場合（Ｓ１０５）、センサＩＤ：Ｓ１がセンサＩＤ：Ｓ２と等しい（Ｓ１＝Ｓ２）かつ確認ＩＤ：Ｃ１が確認ＩＤ：Ｃ２と等しい（Ｃ１＝Ｃ２）か否かを確認する（Ｓ１０６）。Ｓ１＝Ｓ２かつＣ１＝Ｃ２によって、端末ＩＤ：Ｔ１を受信したセンサ手段２１によって確認ＩＤ：Ｃ１が受信されたものと見做すことができる。そして、Ｓ１＝Ｓ２かつＣ１＝Ｃ２が成立した場合、端末ＩＤ：Ｔ１の携帯端末の認証は成功と見做す（Ｓ１０７）。Ｓ１＝Ｓ２かつＣ１＝Ｃ２が成立しなかった場合、認証は失敗と見做す。
【００７１】
なお、上述の確認ＩＤの信号フレーム（確認ＩＤ信号フレーム）の構成例を図６に示す。図６中の信号フレームＦ２は、確認ＩＤであることを示す値”０１”が設定された２ｂｉｔ長のフラグＦａ，６４ｂｉｔ長の確認ＩＤデータＦｅ、３０ｂｉｔ長の予備領域Ｆｆ、３２ｂｉｔ長のチェックサムＦｄから構成されている。
【００７２】
また、携帯端末１は、ＩＤ信号発信手段１ｄによって、該確認ＩＤ：Ｃ１を一定期間発信した後、再び、該携帯端末１の端末ＩＤを送信する。そして、端末認証手段３ａは、一定の周期で、上述の手順によって、端末ＩＤ：Ｔ１の携帯端末１の認証処理を行う。
【００７３】
コンテンツサーバ装置３が保持するコンテンツ管理テーブル４の構成例を図７に示す。コンテンツ管理テーブル４は、センサＩＤとコンテンツＩＤとの対応を管理する。例えば、アクセス制御手段３ｂは、端末ＩＤ：Ｔ１の携帯端末１が認証された場合、コンテンツ管理テーブル４を参照し、センサＩＤ：Ｓ１に対応するコンテンツＩＤ：Ｆ１のコンテンツを該端末１に提供する。
【００７４】
アクセス制御手段３ｂの動作例１を図８に基づいて説明する。コンテンツサーバ装置３は、ネットワーク技術（例えば、ＩＰネットワーク，ＨＴＴＰ（ＨｙｐｅｒＴｅｘｔ  Ｔｒａｎｓｆｅｒ  Ｐｒｏｔｏｃｏｌ））を用いてＷｅｂコンテンツを提供できる。携帯端末１がコンテンツサーバ装置３に対するコンテンツアクセスは、図８に示す手順で行われる。携帯端末１は、センサ手段２１〜２４のいずれかの光信号手段２ｂを介して端末認証手段３ａに信号を送り、ＩＰネットワークを介してアクセス制御手段３ｂと通信する。
【００７５】
なお、以下の説明で図１乃至図３中の符号と同じものの説明は省略する。図８は、携帯端末１を中心とし、右側に端末認証手段３ａとの通信シーケンス、左側にアクセス制御手段３ｂとの通信シーケンスを記載している。
【００７６】
まず、コンテンツアクセス開始時、携帯端末１は、光信号で端末ＩＤを発信開始する（Ｍ１０１〜Ｍ１０３）と同時に、所定のコンテンツサーバ装置のＵＲＬアドレスにコンテンツアクセスを要求する（Ｍ２０１）。すなわち、携帯端末１のＷｅｂブラウザによってコンテンツサーバ装置３へアクセスする。
【００７７】
端末認証手段３ａは、端末ＩＤを受信する（Ｍ１０１）と、認証処理（Ｓ２０１）を開始する。アクセス制御手段３ｂは、コンテンツアクセスを要求されると、携帯端末１にＡｃｋ（Ａｃｋｎｏｗｌｅｄｇｅｍｅｎｔ：アクセス受信確認）を返す（Ｍ２０２）。例えば、「認証中」というメッセージを提示するＨＴＭＬ（ＨｙｐｅｒＴｅｘｔ  Ｍａｒｋｕｐ  Ｌａｎｇｕａｇｅ）ファイルを返信する。携帯端末１が該ＨＴＭＬファイルを受信すると、携帯端末１の画面には「認証中」と表示される。
【００７８】
端末認証手段３ａは、認証処理（Ｓ２０１）が完了すると、結果をアクセス制御手段３ｂに通知する（Ｍ１０４）。アクセス制御手段３ｂは、認証結果が成功であれば、前記端末ＩＤと同時に受信されたセンサＩＤによりコンテンツを特定し、これを前記端末ＩＤの携帯端末１へ配信する（Ｍ２０３）。
【００７９】
以降、端末認証手段は、定期的に認証処理を繰り返す（例えば、メッセージＭ１０５〜Ｍ１０７の処理）。
【００８０】
コンテンツを視聴するユーザは、随時、携帯端末１によってコンテンツ参照要求やコンテンツ編集要求を送信する（Ｍ２０４，Ｍ２０６）。なお、コンテンツ参照要求とは、例えば、ＨＴＭＬコンテンツに含まれるリンク情報を指定し、リンク先のコンテンツやデータを新たに参照する要求などである。コンテンツ編集要求とは、例えば、入力フォームなどを介してコメントやデータをコンテンツサーバ装置３に送信し、コンテンツの一部として追加する要求である。
【００８１】
また、前記コンテンツ参照及びコンテンツ編集に対応する機能は、個々のアプリケーションコンテンツにより異なってよい。そのため、アクセス制御手段３ｂは、それぞれのアプリケーションコンテンツごとに、各提供機能を参照及び編集に分類し管理する場合もある。
【００８２】
前記携帯端末の認証が成功している間、アクセス制御手段３ｂは、携帯端末１からコンテンツ参照要求を受信すると、対応するコンテンツを携帯端末１に返信する（Ｍ２０５）。また、コンテンツ編集要求を受信すると、対応するコンテンツを編集し結果を携帯端末１に返信する（Ｍ２０７）。
【００８３】
アクセス制御手段３ｂは、前記携帯端末１の認証（Ｓ２０２）が失敗した（Ｍ１０８，Ｍ１０９）時点で、アクセス拒絶通知を携帯端末１に送信する（Ｍ２０８）。例えば、「アクセスできません」というメッセージを提示するＨＴＭＬファイルを返信する。そのアクセス拒絶通知を受信した結果、携帯端末１の画面には「アクセスできません」と表示され、アクセスが拒絶されたことがユーザに通知される。
【００８４】
以降、アクセス制御手段３ｂは、携帯端末１からコンテンツ参照要求を受信して（Ｍ２０９）も、同様にアクセス拒絶通知を携帯端末１に返信する（Ｍ２１０）。また、コンテンツ編集要求を受信して（Ｍ２１１）も、アクセス拒絶通知を携帯端末１に返信する（Ｍ２１２）。
【００８５】
次に、図９に基づいてアクセス制御手段の動作例２を説明する。図９も、図８と同様に携帯端末１を中心とし、右側に端末認証手段３ａとの通信シーケンス、左側にアクセス制御手段３ｂとの通信シーケンスを記載している。
【００８６】
まず、コンテンツアクセス開始時、携帯端末１は、光信号で端末ＩＤを発信開始する（Ｍ３０１〜Ｍ３０３）と同時に、所定のコンテンツサーバ装置のＵＲＬアドレスにコンテンツアクセスを要求する（Ｍ４０１）。
【００８７】
端末認証手段３ａは、端末ＩＤを受信する（Ｍ３０１）と、認証処理（Ｓ３０１）を開始する。アクセス制御手段３ｂは、コンテンツアクセスを要求されると、携帯端末１にＡｃｋ（アクセス受信確認）を返す（Ｍ４０２）。
【００８８】
次に、端末認証手段３ａは、認証処理（Ｓ３０１）が完了すると、結果をアクセス制御手段３ｂに通知する（Ｍ３０４）。
【００８９】
次に、アクセス制御手段３ｂは、認証結果が成功であれば、前記端末ＩＤと同時に受信されたセンサＩＤによりコンテンツを特定し、これを前記端末ＩＤの携帯端末１へ配信する（Ｍ４０３）。
【００９０】
以降、端末認証手段３ａは、定期的に認証処理を繰り返す（例えば、メッセージＭ３０５〜Ｍ３０７の処理）。
【００９１】
次に、コンテンツを視聴するユーザは、随時、携帯端末１によってコンテンツ更新要求やコンテンツ編集要求を送信する（Ｍ４０４，Ｍ４０６）。
【００９２】
次に、前記携帯端末１の認証が成功している間、アクセス制御手段３ｂは、携帯端末１からコンテンツ参照要求を受信すると、対応するコンテンツを携帯端末１に返信する（Ｍ４０５）。また、コンテンツ編集要求を受信すると、対応するコンテンツを編集し結果を携帯端末１に返信する（Ｍ４０７）。
【００９３】
次に、アクセス制御手段３ｂは、前記携帯端末１の認証（Ｓ３０２）が失敗した（Ｍ３０８，Ｍ３０９）時点以降も、携帯端末１からコンテンツ参照要求を受信する（Ｍ４０８）と、対応するコンテンツを携帯端末１に返信する（Ｍ４０９）。ただし、コンテンツ編集要求を受信して（Ｍ４１０）も、アクセス拒絶通知を携帯端末に返信する（Ｍ４１１）。
【００９４】
以上のように、図９の制御方法で提供されるコンテンツは、通常のＷｅｂコンテンツと同様にどこからでも参照である。ただし、コンテンツにコメントを追加するなどの特定の編集機能は、センサ手段２１〜２４の存在する特定の場所でのみ可能となる。
【００９５】
コンテンツサーバ装置３が提供するコンテンツは、音楽や映像などのストリームメディアであってもよい。そこで、ストリームメディアを提供する場合のアクセス制御手段３ｂの動作例３を図１０に基づいて説明する。
【００９６】
まず、コンテンツアクセス開始時、携帯端末１は、光信号で端末ＩＤを発信開始する（Ｍ５０１〜Ｍ５０３）と同時に、所定のコンテンツサーバ装置３のＵＲＬアドレスにコンテンツアクセスを要求する（Ｍ６０１）。
【００９７】
次に、端末認証手段３ａは、端末ＩＤを受信する（Ｍ５０１）と、認証処理（Ｓ４０１）を開始する。アクセス制御手段３ｂは、コンテンツアクセスを要求される（Ｍ６０１）と、携帯端末１にＡｃｋ（アクセス受信確認）を返す（Ｍ６０２）。
【００９８】
次に、端末認証手段３ａは、認証処理（Ｍ５０１）が完了すると、結果をアクセス制御手段に通知する（Ｍ５０４）。アクセス制御手段は、認証結果が成功であれば、前記端末ＩＤと同時に受信されたセンサＩＤによりストリームメディアコンテンツを特定し、前記端末ＩＤの携帯端末１への配信を開始する（Ｍ６０３）。
【００９９】
以降、端末認証手段３ａは、定期的に認証処理を繰り返す（例えば、メッセージＭ５０５〜Ｍ５０７の処理）。
【０１００】
次に、前記携帯端末１の認証（Ｍ５０１）が成功している間、アクセス制御手段３ｂは、ストリームメディアコンテンツの配信を継続する。
【０１０１】
次に、アクセス制御手段３ｂは、前記携帯端末１の認証（Ｓ４０２）が失敗した（Ｍ５０８，Ｍ５０９）時点で、ストリームメディアコンテンツの配信を停止しアクセス拒絶通知を携帯端末に返信する（Ｍ６０４）。
【０１０２】
また、センサ手段２１〜２４は、センサＩＤ、端末ＩＤに加えて、端末ＩＤ受信時の受信信号強度をコンテンツサーバ装置３の端末認証手段３ａに送信する場合もある。
【０１０３】
なお、前記受信信号強度とは、一つの信号フレームを構成する光点滅信号おいて発光時の信号強度が最大となったときの値である。端末認証手段３ａ及びアクセス制御手段３ｂは、センサ手段２１〜２４から複数の同一の端末ＩＤを受信した場合、受信信号強度が最大であるセンサ手段のセンサＩＤを用いて、上述の認証処理、アクセス制御処理を行うものとする。
【０１０４】
なお、本実施形態の機能を実現するソフトウェアのプログラムコードを記録した記憶媒体を、システムあるいは装置に供給し、そのシステムあるいは装置のＣＰＵ（Ｃｅｎｔｒａｌ  Ｐｒｏｃｅｓｓｉｎｇ  Ｕｎｉｔ）（あるいはＭＰＵ（Ｍｉｃｒｏｐｒｏｃｅｓｓｉｎｇ  Ｕｎｉｔ））が記憶媒体に格納されたプログラムコードを読み出し実行することによっても、実現できる。
【０１０５】
以上のように本実施形態における実空間コンテンツ利用システムは、個々の携帯端末の状態を確実に把握し、携帯端末の存在する空間に基づいたアクセス制御を行うため、携帯端末に光信号を用いてＩＤを発信するＩＤ信号発信手段を備える。また、前記光信号によるＩＤを受信し、固有のセンサＩＤとともに送信する複数個のセンサ手段と、端末認証手段を具備するコンテンツサーバ装置から実空間コンテンツ利用システムは構成される。
【０１０６】
そして、この端末認証手段が、光信号センサ手段経由のＩＤ受信をアップリンクに用い、所定の通信手段をダウンリンクに用いた端末認証処理を行う。
【０１０７】
具体的には、前記端末認証手段は、センサ手段を介して受信した端末ＩＤで特定される携帯端末へ、所定の通信回線を用いて確認ＩＤを送信する。前記携帯端末のＩＤ信号発信手段が受信した確認ＩＤを発信し、前記端末認証手段が、前記端末ＩＤと同時に受信したセンサＩＤが、前記確認ＩＤと同時に受信されたことをもって、前記携帯端末を認証する処理を行う。
【０１０８】
さらに、コンテンツサーバ装置は、アクセス制御手段を備え、端末認証結果に基づいたコンテンツアクセス制御を行う。
【０１０９】
また、携帯端末が、特定の空間内に滞在しているときのみ、コンテンツへのアクセスを許可するために、前記端末認証手段は、定期的に前記認証された携帯端末に対する認証処理を行い、アクセス制御手段が最近の認証結果に基づいて、携帯端末のコンテンツアクセスを制御する。
【０１１０】
複数端末の発信する信号間の干渉の発生を低減するために、本実施形態における携帯端末は、非規則的なタイミング周期を決定する信号発信周期制御手段を備え、前記ＩＤ信号発信手段は、前記信号発信周期制御手段により決定される非規則的なタイミング周期に信号を発信する。
【０１１１】
また、本実施形態によれば、実空間コンテンツ利用システムにおける携帯端末には、可搬性を有するアプリケーションソフトウェア（例えば、Ｊａｖａ（登録商標）アプリケーションソフトウェア）として実装されたＩＤ信号発信手段や信号発信周期制御手段を既存の携帯電話へインストールしたものを利用できる。
【０１１２】
さらに、端末サイドの導入コストを低下でき、普及した携帯電話に対して、特定の空間でのみアクセスできるコンテンツサービスを提供できる。
【０１１３】
具体的な利用例として、大学の講義などにおいて、聴講者の出席を確認することが想定される。教室内にセンサ手段を配置することによって、教室内の聴講者のみが、出席登録を行うことができる。さらに、課題やテスト回答などの情報を教室内の人にのみ提供する手段として活用できる。
【０１１４】
また、集客を意図し、特定の店舗やイベント会場などでのみ視聴可能なプレミアコンテンツを提供するといった用途に用いることができる。特に、光信号を用いる本実空間コンテンツ利用システムは、無線ＬＡＮ（Ｌｏｃａｌ−Ａｒｅａ  Ｎｅｔｗｏｒｋ）基地局を利用して空間限定コンテンツを提供するシステムに比べて、提供可能エリアの細かい規定が可能になる。したがって、例えば、ＣＤ（Ｃｏｍｐａｃｔ  Ｄｉｓｋ）ショップなどで各音楽ジャンルのスペースにセンサ手段を設けることで、各スペースで異なるスペース限定コンテンツを提供できる。
【０１１５】
同様に、博物館や美術館などで、携帯電話を用いて展示品に関するコンテンツへアクセスする仕組みとしても利用できる。この際、Ｂｌｏｇなどのユーザが編集可能なコンテンツをこのシステムを介して提供すれば、実際にその場所に訪れた人だけがメッセージを残せる仕組みとして活用できる。
【０１１６】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【０１１７】
例えば、本実施形態の変形例として、携帯端末（例えば、携帯電話）の代わりに、一般的な端末（例えば、デスクトップ型パーソナルコンピュータ）を採用しても良い。
【０１１８】
また、携帯端末とセンサ手段間の通信は、前記端末ＩＤ，確認ＩＤなどを含むデータを送受信できれば、有線通信や短距離無線通信でも良い。
【図面の簡単な説明】
【０１１９】
【図１】本実施形態における実空間コンテンツ利用システムの構成図。
【図２】本実施形態における携帯端末の構成図。
【図３】本実施形態におけるセンサ手段の構成図。
【図４】本実施形態における端末ＩＤ信号フレームのデータ構成図。
【図５】本実施形態における端末手順を示すフローチャート。
【図６】本実施形態における確認ＩＤ信号フレームのデータ構成図。
【図７】本実施形態におけるコンテンツ管理テーブルの構成例を示す図。
【図８】本実施形態におけるアクセス制御手段に関する動作シーケンスの例１を示す図。
【図９】本実施形態におけるアクセス制御手段に関する動作シーケンスの例２を示す図。
【図１０】本実施形態におけるアクセス制御手段に関する動作シーケンスの例３を示す図。
【符号の説明】
【０１２０】
１…携帯端末
１ａ…通信手段
１ｂ…制御手段
１ｃ…入出力手段
１ｄ…ＩＤ信号発信手段
１ｅ…信号発信周期制御手段
２，２１，２２，２３，２４…センサ手段
２ａ…低消費電力無線通信手段
２ｂ…光通信センサ手段
２ｃ…制御手段
２ｄ…太陽電池
３…コンテンツサーバ装置
３ａ…端末認証手段
３ｂ…アクセス制御手段
３ｃ…通信手段
４…コンテンツ管理テーブル
５…コンテンツ
Ｆ１…端末ＩＤ信号フレーム
Ｆ２…確認ＩＤ信号フレーム
Ｆａ…フラグ
Ｆｂ…端末ＩＤデータ
Ｆｃ，Ｆｆ…予備領域
Ｆｄ…チェックサム
Ｆｅ…確認ＩＤデータ
【図１】
2008022299.tif 000003
【図２】
2008022299.tif 000004
【図３】
2008022299.tif 000005
【図４】
2008022299.tif 000006
【図５】
2008022299.tif 000007
【図６】
2008022299.tif 000008
【図７】
2008022299.tif 000009
【図８】
2008022299.tif 000010
【図９】
2008022299.tif 000011
【図１０】
2008022299.tif 000012